(57)【要約】      （修正有）【課題】ペン形音声再生装置の読み書き装置の保護と使用寿命の延長を図ると共に、ペン形音声再生装置全体の外観と機能を維持することができるペン形音声再生装置の読み書きヘッドを提供する。【解決手段】ペン形音声再生装置の読み書き装置上にキャップを被着し、読み書き装置で電子書籍にタッチするとき、読み書き装置を保護する。【選択図】図３
0003154452.tif 000002
【実用新案登録請求の範囲】
【請求項１】
ボイスペンの読み書きヘッドであって、主に、
ボイスペンと、
ボイスペンの一端に設置された読み書き装置と、
前記読み書き装置に被着するために用いるキャップを含むことを特徴とする、ボイスペンの読み書きヘッド。
【請求項２】
前記キャップが前記ボイスペンと分離可能であることを特徴とする、請求項１に記載のボイスペンの読み書きヘッド。
【請求項３】
前記キャップの被着方式が螺合式または嵌合式であることを特徴とする、請求項１に記載のボイスペンの読み書きヘッド。
【考案の詳細な説明】
【技術分野】
【０００１】
本考案はボイスペンの読み書きヘッドの改良に関し、特に、ボイスペンの読み書きヘッドの構造に関するものである。
【背景技術】
【０００２】
第二言語を身につけ、専門性を高めるため、外国語の学習は徐々に重視されつつある。外国語の学習方法は「読む」、「書く」、「話す」、「聞く」の四大項目があるが、そのうち「聞く」と「話す」は最も重要かつ困難である。そのため、当該産業においてはさまざまな音声式学習装置やツールが提供されており、学習者が外国語を学習するときの正確性と利便性を向上している。
図１に示すように、近年出現したボイスペン１は、種類が多く機能も多様であるが、その主な機能はボイスペン１一端に設けた読み書き装置１１で、電子書籍上の特殊図案や外国語文字に触れて検知するものであり、ボイスペン１が音声方式で内容を読み上げ、学習者は電子書籍中から正確な発音方式を学習することができる。
しかしながら、読み書き装置１１は電子書籍上の特殊図案や文字にタッチする必要があるため、長時間の使用下では、タッチ圧力により読み書き装置１１が破損したり、或いは読み書き装置１１が空気中に曝露される開放式の設計のため、外部の物品にぶつかったり、埃が蓄積したり、何らかの液体に触れたりすることで、読み書き装置１１の接触不良や破損を引き起こすことがある。
【考案の概要】
【考案が解決しようとする課題】
【０００３】
本考案の主な目的は、主にボイスペンの一端の読み書き装置上にキャップを被着し、読み書き装置が外部の物品にぶつかったり、落下したり、埃が蓄積したり、何らかの液体に触れたりなどの外在的原因により破損するのを防止し、これにより保護と読み書き装置の使用寿命を延長するという目的を達し、かつ前記キャップがぶつけたり等の原因で破損したときも、該キャップを交換すればボイスペンの全体の外観と機能を維持することができる、ボイスペンの読み書きヘッドを提供することにある。
【課題を解決するための手段】
【０００４】
本考案のボイスペンの読み書きヘッドは、主にボイスペンの読み書き装置上にキャップを被着し、読み書き装置で電子書籍にタッチするとき、読み書き装置を保護することができ、これにより読み書き装置の使用寿命を延長するという目的を達する。
【図面の簡単な説明】
【０００５】
【図１】従来品の立体外観図である。
【図２】本考案に係るボイスペンの立体外観図である。
【図３】本考案に係るボイスペンの立体分解図である。
【図４】本考案に係るボイスペンの部分断面図である。
【図５】本考案の最良の実施例に係るボイスペンの立体図である。
【考案を実施するための形態】
【０００６】
図２、図３、図４、図５に本考案の立体外観図、立体分解図、断面図、最良の実施例の立体図をそれぞれ示す。
これらの図から分かるように、ボイスペン２は一端の読み書き装置２１上にキャップ２２が被着される。
このボイスペン２は主に読み書き装置２１で電子書籍３上の特殊図案や文字にタッチし、読み書き装置２１が図案や文字を検知して音声方式で内容を読み上げ、使用者が電子書籍3中から関連内容を学習できるものである。
ボイスペン２の読み書き装置２１で電子書籍３にタッチするとき、被着したキャップ２２によりボイスペン２の使用時に読み書き装置２１が直接タッチ時に発生する圧力を受けず、かつボイスペン２の使用時にうっかり落としてしまっても、キャップ２２により読み書き装置２１が外部の物品にぶつかったり、地面に落下したりすることで引き起こされる破損を防止できる。
さらに、キャップ２２を読み書き装置２１に被着して長時間使用する際、埃や汚れ、液体が直接読み書き装置２１上に付着するのを防ぐことができる。また、キャップ２２が破損、磨耗、過度の汚れが発生したときは、新しいキャップ２２に交換し、再度読み書き装置２１上に被着するだけでよく、この被着方式は螺合や嵌合とすることができる。
【０００７】
上述のように、読み書き装置２１上に被着したキャップ２２により、読み書き装置２１が外部の物品にぶつかったり、落下したりして破損するのを防ぐほか、読み書き装置２１に埃が蓄積したり、液体が付着したりなどの状況を防止できるため、読み書き装置２１の使用寿命を大幅に延長することができる。
【符号の説明】
【０００８】
従来部分：
１        ボイスペン
１１      読み書き装置
本考案：
２        ボイスペン
２１      読み書き装置
２２      キャップ
３        電子書籍
【図１】
0003154452.tif 000003
【図２】
0003154452.tif 000004
【図３】
0003154452.tif 000005
【図４】
0003154452.tif 000006
【図５】
0003154452.tif 000007
【手続補正書】
【提出日】平成21年8月7日(2009.8.7)
【手続補正１】
【補正対象書類名】明細書
【補正対象項目名】全文
【補正方法】変更
【補正の内容】
【考案の詳細な説明】
【技術分野】
【０００１】
本考案はペン形音声再生装置の読み書きヘッドの改良に関し、特に、ペン形音声再生装置の読み書きヘッドの構造に関するものである。
【背景技術】
【０００２】
第二言語を身につけ、専門性を高めるため、外国語の学習は徐々に重視されつつある。外国語の学習方法は「読む」、「書く」、「話す」、「聞く」の四大項目があるが、そのうち「聞く」と「話す」は最も重要かつ困難である。そのため、当該産業においてはさまざまな音声式学習装置やツールが提供されており、学習者が外国語を学習するときの正確性と利便性を向上している。
図１に示すように、近年出現したペン形音声再生装置１は、種類が多く機能も多様であるが、その主な機能はペン形音声再生装置１一端に設けた読み書き装置１１で、電子書籍上の特殊図案や外国語文字に触れて検知するものであり、ペン形音声再生装置１が音声方式で内容を読み上げ、学習者は電子書籍中から正確な発音方式を学習することができる。
しかしながら、読み書き装置１１は電子書籍上の特殊図案や文字にタッチする必要があるため、長時間の使用下では、タッチ圧力により読み書き装置１１が破損したり、或いは読み書き装置１１が空気中に曝露される開放式の設計のため、外部の物品にぶつかったり、埃が蓄積したり、何らかの液体に触れたりすることで、読み書き装置１１の接触不良や破損を引き起こすことがある。
【考案の概要】
【考案が解決しようとする課題】
【０００３】
本考案の主な目的は、主にペン形音声再生装置の一端の読み書き装置上にキャップを被着し、読み書き装置が外部の物品にぶつかったり、落下したり、埃が蓄積したり、何らかの液体に触れたりなどの外在的原因により破損するのを防止し、これにより保護と読み書き装置の使用寿命を延長するという目的を達し、かつ前記キャップがぶつけたり等の原因で破損したときも、該キャップを交換すればペン形音声再生装置の全体の外観と機能を維持することができる、ペン形音声再生装置の読み書きヘッドを提供することにある。
【課題を解決するための手段】
【０００４】
本考案のペン形音声再生装置の読み書きヘッドは、主にペン形音声再生装置の読み書き装置上にキャップを被着し、読み書き装置で電子書籍にタッチするとき、読み書き装置を保護することができ、これにより読み書き装置の使用寿命を延長するという目的を達する。
【図面の簡単な説明】
【０００５】
【図１】従来品の立体外観図である。
【図２】本考案に係るペン形音声再生装置の立体外観図である。
【図３】本考案に係るペン形音声再生装置の立体分解図である。
【図４】本考案に係るペン形音声再生装置の部分断面図である。
【図５】本考案の最良の実施例に係るペン形音声再生装置の立体図である。
【考案を実施するための形態】
【０００６】
図２、図３、図４、図５に本考案の立体外観図、立体分解図、断面図、最良の実施例の立体図をそれぞれ示す。
これらの図から分かるように、ペン形音声再生装置２は一端の読み書き装置２１上にキャップ２２が被着される。
このペン形音声再生装置２は主に読み書き装置２１で電子書籍３上の特殊図案や文字にタッチし、読み書き装置２１が図案や文字を検知して音声方式で内容を読み上げ、使用者が電子書籍3中から関連内容を学習できるものである。
ペン形音声再生装置２の読み書き装置２１で電子書籍３にタッチするとき、被着したキャップ２２によりペン形音声再生装置２の使用時に読み書き装置２１が直接タッチ時に発生する圧力を受けず、かつペン形音声再生装置２の使用時にうっかり落としてしまっても、キャップ２２により読み書き装置２１が外部の物品にぶつかったり、地面に落下したりすることで引き起こされる破損を防止できる。
さらに、キャップ２２を読み書き装置２１に被着して長時間使用する際、埃や汚れ、液体が直接読み書き装置２１上に付着するのを防ぐことができる。また、キャップ２２が破損、磨耗、過度の汚れが発生したときは、新しいキャップ２２に交換し、再度読み書き装置２１上に被着するだけでよく、この被着方式は螺合や嵌合とすることができる。
【０００７】
上述のように、読み書き装置２１上に被着したキャップ２２により、読み書き装置２１が外部の物品にぶつかったり、落下したりして破損するのを防ぐほか、読み書き装置２１に埃が蓄積したり、液体が付着したりなどの状況を防止できるため、読み書き装置２１の使用寿命を大幅に延長することができる。
【符号の説明】
【０００８】
従来部分：
１        ペン形音声再生装置
１１      読み書き装置
本考案：
２        ペン形音声再生装置
２１      読み書き装置
２２      キャップ
３        電子書籍
【手続補正２】
【補正対象書類名】実用新案登録請求の範囲
【補正対象項目名】全文
【補正方法】変更
【補正の内容】
【実用新案登録請求の範囲】
【請求項１】
ペン形音声再生装置の読み書きヘッドであって、主に、
ペン形音声再生装置の一端に設置された読み書き装置と、
前記読み書き装置に被着するために用いるキャップを含むことを特徴とする、ペン形音声再生装置の読み書きヘッド。
【請求項２】
前記キャップが前記ペン形音声再生装置と分離可能であることを特徴とする、請求項１に記載のペン形音声再生装置の読み書きヘッド。
【請求項３】
前記キャップの被着方式が螺合または嵌合であることを特徴とする、請求項１に記載のペン形音声再生装置の読み書きヘッド。